(57)【要約】  【課題】  製造コストの低減と省スペース化を図りつつ、受け皿から遊技球が不用意に落下するのを防止して遊技者に不快感を与えるのを防止することができる遊技機を提供すること。  【解決手段】  本体１６と、本体１６の底板１７と上板２６とに設けられ、遊技球を排出する排出口１８、２７と、排出口１８、２７を開放する開放位置および排出口１８、２７を閉塞する閉塞位置の間で移動自在に設けられたシャッター部材１９と、シャッター部材１９に設けられた第１係合部２３と、本体１６に設けられ、第１係合部２３に係合する第２係合部２４とから下皿１０を構成し、シャッター部材１９が開放位置にあることを検出する開放検出スイッチ６１と、開放検出スイッチ６１の検出情報に基づいてシャッター部材１９が開放位置にあることを報知する開放報知ランプ５とを設けた。【選択図】  図１
2005296216.tif 000002
【特許請求の範囲】
【請求項１】
遊技機本体の払出口から払い出される遊技球の受け皿を備えた遊技機において、
前記受け皿を、遊技球が貯溜される本体と、前記本体の底面に設けられ、前記遊技球を排出する排出口と、前記排出口を開放する開放位置および前記排出口を閉塞する閉塞位置の間で移動自在に設けられたシャッター部材と、前記開放位置で前記シャッター部材を前記本体に保持する保持機構とから構成し、
前記シャッター部材が前記開放位置にあることを検出する開放位置検出手段と、
前記開放位置検出手段の検出情報に基づいて前記シャッター部材が開放位置にあることを報知する報知手段とを備えたことを特徴とする遊技機。
【請求項２】
所定の条件が成立したときに、前記報知手段による報知を規制する報知規制手段を備えたことを特徴とする請求項１に記載の遊技機。
【請求項３】
遊技状態が大当り遊技状態であることを検出する遊技状態検出手段を備え、
前記遊技状態検出手段によって大当り遊技状態であることが検出されたときに、前記報知規制手段による報知の規制を行うことを特徴とする請求項２に記載の遊技機。
【請求項４】
発射位置に操作されたときに、遊技球を遊技領域に向けて発射させる発射ハンドルと、前記発射ハンドルが前記発射位置にあることを検出する発射位置検出手段とを備え、
前記発射位置検出手段によって前記発射ハンドルが発射位置にあると検出されたときに、前記報知規制手段による報知の規制を行うことを特徴とする請求項２または請求項３に記載の遊技機。
【請求項５】
遊技機本体の払出口から払い出される遊技球の受け皿を備えた遊技機において、
前記受け皿を、遊技球が貯溜される本体と、前記本体の底面に設けられ、前記遊技球を排出する排出口と、前記排出口を開放する開放位置および前記排出口を閉塞する閉塞位置の間で移動自在に設けられたシャッター部材と、前記開放位置で前記シャッター部材を前記本体に保持する保持機構とから構成し、
前記シャッター部材が前記開放位置にあることを検出する開放位置検出手段と、
前記開放位置検出手段の検出情報に基づいて前記シャッター部材が開放位置にあることを示す信号を遊技機外へ出力する開放信号出力手段とを備えたことを特徴とする遊技機。
【発明の詳細な説明】
【技術分野】
【０００１】
本発明は、遊技機に関し、例えば、遊技機本体の払出口から払い出される遊技球の受け皿を備えた遊技機に関する。
【背景技術】
【０００２】
一般に、パチンコ機等の遊技機は、賞球または貸し球として払い出されるパチンコ球を溜めるための上皿と、上皿からの排出されるパチンコ球やファール球を溜めるための下皿とが設けられている。
【０００３】
下皿には大当り遊技中に上皿に払い出される余剰のパチンコ球（賞球）が大量に払い出されるため、このパチンコ球を直接取り出さずに下皿の底面に設けられた排出口から排出することで、多量のパチンコ球を順次落下させて回収するようにしている。
【０００４】
従来のこの種の回収機構としては、排出口を開放および閉塞するシャッター部材を設け、下皿にパチンコ球が貯溜されたときに、遊技者によりシャッター部材を開放位置に移動させることにより、下皿に貯溜された大量のパチンコ球を落下させて回収することができるようにしたものがある。
【０００５】
ところで、この種の回収機構を備えたパチンコ機にあっては、遊技者が必要に応じてシャッター部材を開放位置に移動させる必要があるため、シャッター部材の操作が面倒となってしまうという不具合が発生してしまう。
【０００６】
このような不具合を解消するものとしては、特許文献１および特許文献２に示すものがある。
【０００７】
特許文献１に示すものは、下皿の排出口を開放および閉塞するシャッター部材と、このシャッター部材が開放位置に移動したときに、シャッター部材を開放位置に一時的に保持させるロック機構とを備えており、遊技者は、パチンコ球を回収する度にシャッター部材を開放位置に移動する手間を省くことができるものである。
【０００８】
しかしながら、特許文献１に示すものにあっては、遊技者による操作によってシャッター部材を開放位置から閉塞位置に戻すものであった。
【０００９】
このため、例えば、前遊技者が大当りの発生等によってシャッター部材を開放位置にロックしたままで当該パチンコ機での遊技を終了した後、シャッター部材が開放位置にあることを認識していない次の遊技者が当該パチンコ機で遊技を行い、ファール球の発生や貸し球の回収等によって下皿の排出口からパチンコ球が排出されたときに、シャッター部材が開放されたことを初めて認識することになる。
【００１０】
このため、下皿からパチンコ球が落下することによる不快感を味わったり、床に落下したパチンコ球を回収するための余計な労力が加わり、大変に煩わしい。
【００１１】
このような不具合を解消するものとしては、特許文献２に示すようなものがある。
【００１２】
特許文献２に示すものは、下皿の排出口の近傍に設けられた球検出センサと、ゲート板（シャッター部材）を手動によって開放位置に変位させたときにオンするスイッチと、このスイッチに連動してゲート板を開放位置に保持してパチンコ球を排出する電磁ロック装置とを備え、球検出センサが球無し状態を検出するのと連動して電磁ロック装置を自動的にオフにしてゲート板を閉塞位置に保持することにより、遊技者がパチンコ球を回収する度にシャッター部材を開放位置に移動する手間を省くことができるものである。
【特許文献１】特開平１０−９４６５４号公報
【特許文献２】特開平８−２３８３６９号公報
【発明の開示】
【発明が解決しようとする課題】
【００１３】
しかしながら、特許文献２に示すものは、球検出センサが球無し状態を検出するのと連動して電磁ロック装置を自動的にオフにしてゲート板を閉塞位置に保持するので、上述したような問題が発生することはないが、ゲート板を電磁的に閉鎖するための電磁ロック機構が必要になるため、パチンコ機の製造コストが増大してしまうことに加えて、電磁ロック機構や電磁ロック機構に接続される配線等を設置するための大きなスペースが必要になってしまうという問題が発生してしまう。
【００１４】
本発明は、このような問題に鑑みなされたもので、製造コストの低減と省スペース化を図りつつ、受け皿から遊技球が不用意に落下するのを防止して遊技者に不快感を与えるのを防止することができる遊技機を提供するものである。
【課題を解決するための手段】
【００１５】
本発明の遊技機は、遊技機本体の払出口から払い出される遊技球の受け皿を備えた遊技機において、前記受け皿を、遊技球が貯溜される本体と、前記本体の底面に設けられ、前記遊技球を排出する排出口と、前記排出口を開放する開放位置および前記排出口を閉塞する閉塞位置の間で移動自在に設けられたシャッター部材と、前記開放位置で前記シャッター部材を前記本体に保持する保持機構とから構成し、前記シャッター部材が前記開放位置にあることを検出する開放位置検出手段と、前記開放位置検出手段の検出情報に基づいて前記シャッター部材が開放位置にあることを報知する報知手段とを備えたものから構成される。
【００１６】
この構成により、シャッター部材が開放位置にあることを検出して報知することができるので、前遊技者がシャッター部材を開放位置に保持したままの状態で遊技機による遊技を終了したときに、次の遊技者が当該遊技機で遊技を行うとき等に、当該遊技者に対してシャッター部材が開放位置にあることを確実に認識させることができる。このため、当該遊技者に対してシャッター部材を閉塞位置に戻すことを効果的に促すことができる。
【００１７】
また、次の遊技者が当該遊技機で遊技を行う以前等に、ホール従業員等にシャッター部材が開放位置にあることを確実に認識させることができるので、ホール従業員等に対してシャッター部材を閉塞位置に戻すことを効果的に促すことができる。この結果、受け皿から遊技球が不用意に落下するのを防止して遊技者に不快感を与えるのを防止することができる。
【００１８】
また、シャッター部材が開放位置にあることを検出して報知することができるので、新たに保持解除機構を設けるのを不要にして、遊技機の製造コストが増大するのを防止することができるとともに省スペース化を図ることができる。
【００１９】
また、本発明の遊技機は、所定の条件が成立したときに、前記報知手段による報知を規制する報知規制手段を備えたものから構成される。
【００２０】
この構成により、シャッター部材が開放位置にあることの報知が不要な場合において、無駄に報知されることを抑制できるので、利便性が高くなる。
【００２１】
また、本発明の遊技機は、遊技状態が大当り遊技状態であることを検出する遊技状態検出手段を備え、前記遊技状態検出手段によって大当り遊技状態であることが検出されたときに、前記報知規制手段による報知の規制を行うものから構成される。
【００２２】
この構成により、シャッター部材を開放位置に移動させた状態にして遊技球を受け皿から落下させて回収する必要がある大当り遊技中に、シャッター部材が開放位置にあることを報知しないので、無駄な報知を行うのを防止することできる。
【００２３】
また、本発明の遊技機は、発射位置に操作されたときに、遊技球を遊技領域に向けて発射させる発射ハンドルと、前記発射ハンドルが前記発射位置にあることを検出する発射位置検出手段とを備え、前記発射位置検出手段によって前記発射ハンドルが発射位置にあると検出されたときに、前記報知規制手段による報知の規制を行うものから構成される。
【００２４】
この構成により、発射ハンドルを発射位置に操作した状態での遊技中にシャッター部材が開放位置にあることを報知しないので、遊技者が意図的にシャッター部材を開放位置に移動させても不必要な報知を行うのを防止することできる。
【００２５】
また、本発明の遊技機は、遊技機本体の払出口から払い出される遊技球の受け皿を備えた遊技機において、前記受け皿を、遊技球が貯溜される本体と、前記本体の底面に設けられ、前記遊技球を排出する排出口と、前記排出口を開放する開放位置および前記排出口を閉塞する閉塞位置の間で移動自在に設けられたシャッター部材と、前記開放位置で前記シャッター部材を前記本体に保持する保持機構とから構成し、前記シャッター部材が前記開放位置にあることを検出する開放位置検出手段と、前記開放位置検出手段の検出情報に基づいて前記シャッター部材が開放位置にあることを示す信号を遊技機外へ出力する開放信号出力手段とを備えたものから構成される。
【００２６】
この構成により、前遊技者がシャッター部材を開放位置に保持したままの状態で遊技機による遊技を終了したときに、シャッター部材が開放位置にあることを検出して外部機器、例えば、呼び出しランプやホールに設置された遊技全体を管理する管理コンピュータに報知することができるので、次の遊技者が当該遊技機で遊技を行う以前等に、ホール従業員等にシャッター部材が開放位置にあることを確実に認識させることができるので、ホール従業員等に対してシャッター部材を閉塞位置に戻すことを効果的に促すことができる。この結果、受け皿から遊技球が不用意に落下するのを防止して遊技者に不快感を与えるのを防止することができる。
【発明の効果】
【００２７】
本発明は、製造コストの低減と省スペース化を図りつつ、受け皿から遊技球が不用意に落下するのを防止して遊技者に不快感を与えるのを防止することができる遊技機を提供することができる。
【発明を実施するための最良の形態】
【００２８】
以下、本発明の好ましい実施の形態を図面に基づいて説明する。
【００２９】
図１〜図９は本発明に係る遊技機の一実施の形態を示す図であり、本発明の遊技機をパチンコ遊技機に適用した例を示している。
【００３０】
図１は遊技機であるパチンコ遊技機１の正面外観図である。図１において、パチンコ遊技機１は前面扉２の上部ガラスの内側に遊技盤３が配置されており、遊技盤３の盤面上には各種入賞領域が配設されている。
【００３１】
具体的には、各種入賞領域には遊技に必要な特別図柄の変動表示および演出アニメーションを含む表示を行うための液晶表示装置、液晶表示装置の図柄の変動の開始するためのスタートチャッカーと呼ばれる始動入賞口を構成する普通電動役物、普通図柄作動用のゲート、大当り遊技状態に開放されるアタッカーと呼ばれる大入賞口、入賞球があると１０個程度の賞球を払出すように定められた一般入賞口等が設けられている。なお、普通電動役物は、始動入賞口に入賞しやすい第１状態と始動入賞口に入賞しにくい第２状態とに変換可能な可動片を有する入賞装置（所謂チューリップ）である。
【００３２】
また、遊技盤３の上方にはスピーカ４Ｌ、４Ｒが設けられており、このスピーカ４Ｌ、４ＲからはＢＧＭおよび効果音等が出力されるようになっている。また、遊技盤３の盤面上には遊技状態に応じて光による演出を行う図示しない装飾用のランプが設けられているとともに、前面扉２には同様の機能を有する開放報知ランプ５等が設けられている。
【００３３】
また、遊技盤３の下方には球貸し操作パネル６が設けられており、この球貸し操作パネル６はカードリーダによって読み込まれるプリペイドカードの金額を表示したり、一定の金額毎の遊技球（パチンコ球）を購入するための操作を行うものである。
【００３４】
また、遊技盤３の下方には、賞球または貸し球として払い出される遊技球を溜めるための上皿７が設けられており、上皿７に排出された遊技球は上皿７の裏面側に設けられた発射装置に供給される。
【００３５】
また、上皿７の下方には、灰皿８、上皿７からの遊技球を排出するための払出口９、払出口９から排出された遊技球を溜めるための受け皿としての下皿１０、遊技球を遊技領域に向けて発射させる操作手段としての発射ハンドル１１が設けられている。
【００３６】
また、図２に示すように、上皿７と下皿１０の背面には上皿７と下皿１０を連通する連通路１２が設けられており、上皿７に設けられた操作レバー１３を開位置に操作すると、上皿７に設けられた図示しない排出口が開放し、上皿７に貯溜される遊技球が排出口から連通路１２を介して下皿１０に排出されるようになっている。
【００３７】
また、上皿７の背面には上皿７に連通する供給通路１４が設けられており、上皿７にはこの供給通路１４を介して賞球または貸し球が供給されるようになっている。また、この供給通路１４は連通路１５を介して下皿１０に連通しており、大当り遊技中に上皿７に払い出される遊技球が上皿７の貯溜許容数を超えると、この遊技球は供給通路１４から連通路１５を介して下皿１０に払い出されるようになっている。また、下皿１０には遊技盤３の遊技領域に到達しない、所謂ファール球が払出口９から払い出される。
【００３８】
また、図３、図４に示すように下皿１０を構成する本体１６の底板１７には排出口１８が形成されており、下皿１０に貯溜される遊技球は排出口１８から排出（落下）するようになっている。
【００３９】
また、図５、図６に示すように本体１６の底板１７にはシャッター部材１９が設けられており、このシャッター部材１９は一端部１９ａが底板１７に図示しないピンによって軸支されるとともに、他端部１９ｂが一端部１９ａを支点にして回動するようになっている。
【００４０】
また、底板１７にはガイドレール２０が設けられており、図５に示すようにこのガイドレール２０の一端部２０ａとシャッター部材１９の他端部の間にはスプリング部材（付勢部材）２１が介装され、シャッター部材１９はスプリング部材２１によってガイドレール２０の他端部２０ｂ側に付勢されている。
【００４１】
また、シャッター部材１９の他端部１９ｂには把持部材２２が設けられており、図６（ａ）に示すように、遊技者が把持部材２２を把持し、スプリング部材２１の付勢力に抗してシャッター部材１９をガイドレール２０の一端部２０ａ側の開放位置に移動させると、排出口１８が開放されるようになっている。
【００４２】
また、図６（ｂ）に示すようにシャッター部材１９の他端部１９ｂには第１係合部２３が設けられており、ガイドレール２０の一端部２０ａ側には第１係合部２３に係合する第２係合部２４が設けられている。
【００４３】
本実施の形態では、第１係合部２３および第２係合部２４が保持機構を構成しており、把持部材２２を把持してシャッター部材１９を開放位置に移動させ、この位置でシャッター部材１９の他端部１９ｂを下方に移動させると、第１係合部２３が第２係合部２４に係合してシャッター部材１９が開放位置に保持される。このとき、スプリング部材２１によってシャッター部材１９が付勢されるため、第１係合部２３が第２係合部２４に確実に係合される。
【００４４】
また、開放位置において把持部材２２を把持してシャッター部材１９を上方に移動させると、第１係合部２３が第２係合部２４から外れた後、シャッター部材１９がスプリング部材２１に付勢されてガイドレール２０の他端部２０ｂ側の閉塞位置に移動し、この閉塞位置で排出口１８を閉塞するようになっている。
【００４５】
また、図７、図８に示すように、底板１７の前面には前板２５が設けられており、この前板２５には把持部材２２を突出させるためのスリット状のガイド溝２５ａが設けられている。把持部材２２はガイド溝２５ａの範囲内で移動するようになっており、シャッター部材１９が閉塞位置に移動したときにガイド溝２５ａの端部に衝突してシャッター部材１９のストッパー機能を果たしている。
【００４６】
また、図８に示すように底板１７の上方には底板１７と共に下皿１０の底面を構成する上板２６が設けられており、この上板２６には底板１７に設けられた排出口１８に連通する排出口２７が形成されている。なお、図７では上板２６を外した状態を示している。
【００４７】
したがって、シャッター部材１９は底板１７および上板２６の間に介装されるとともに、上板２６によって外部に露出されないようになっている。すなわち、本実施の形態のシャッター部材１９は、排出口１８、２７を開放する開放位置と排出口１８、２７を閉塞する閉塞位置の間でガイドレール２０に沿って移動するようになっている。また、払出口９と本体１６の底面である上板２６に段差が設けられており、遊技球は払出口９から落下するようにして上板２６に払い出される。
【００４８】
なお、本実施の形態では、底板１７、前板２５および上板２６から本体１６が構成されている。
【００４９】
また、底板１７には開放検出スイッチ（開放位置検出手段）６１が設けられており、この開放検出スイッチ６１はシャッター部材１９が開放位置に移動したときに、シャッター部材１９を検出するようになっている。なお、この開放検出スイッチ６１はシャッター部材１９に接触することで検出信号を出力する接触式のスイッチ、または、シャッター部材１９を検出すると、発光素子から発光される光が遮断されて受光素子に光が入力しないようにして、受光素子から検出信号を出力する光学式のスイッチ、あるいはシャッター部材１９に近接することで検出信号を出力する近接スイッチ等であっても良い。
【００５０】
図９はパチンコ遊技機１の制御部のブロック図である。
【００５１】
パチンコ遊技機１の遊技動作は、主制御手段としての主制御回路３０により制御される。主制御回路３０は、演算処理装置としてのＣＰＵ（Central Processing Unit）（以下、単にメインＣＰＵという）３１、読み出し専用の記憶手段としてのＲＯＭ（Read Only Memory）（以下、単にメインＲＯＭという）３２および読み書き可能な記憶手段としてのＲＡＭ（Random Access Memory）（以下、メインＲＡＭという）３３を主たる構成要素として構成され、これらは一つの回路基板上に配置される。
【００５２】
メインＲＡＭ３３としては、ダイナミック型メモリ（ＤＲＡＭ）が用いられる。主制御回路３０に接続された各種センサからの入力信号は、この主制御回路３０内のメインＣＰＵ３１に入力され、メインＣＰＵ３１は、入力信号に応じた処理をメインＲＯＭ３２に格納されている制御プログラムに従って実行する。
【００５３】
さらに、主制御回路３０は、電源が投入されたときに回路についての初期処理を実行するための初期リセット信号を発生する初期リセット回路３４を備えている。
【００５４】
この主制御回路３０には、信号入力手段として、大入賞口に設けられたＶ入賞口に遊技球が入賞したことを検出するＶ・カウントスイッチ３５、大入賞口のＶ入賞口を除いた特定入賞口に入賞した遊技球の数を計数するカウントスイッチ３６、一般入賞口に入賞した遊技球を検出する一般入賞口スイッチ３７、普通図柄作動用ゲートを通過した遊技球を検出する通過ゲートスイッチ３８、始動入賞口に入賞した遊技球を検出する始動入賞口スイッチ３９、始動入賞口を構成する普通電動役物を開放および閉塞する始動口ソレノイド４０、大入賞口を開放および閉塞する大入賞口ソレノイド４１、大入賞口に設けられ、大入賞口に入賞する遊技球をＶ入賞口または特定の入賞口の何れかに振り分けて入賞させるシーソー４２、パチンコ遊技機１を初期状態に戻すバックアップクリアスイッチ４３がＩ／Ｏポート４４を介して接続されている。
【００５５】
例えば、始動入賞球スイッチ３９からの信号が主制御回路３０に入力されたとき、メインＣＰＵ３１は、その入力信号を始動記憶数としてメインＲＡＭ３３に累積的に記憶し、大当りの有無等の判定処理を行う。そして、それらの判定結果に基づいて生成されたＬＣＤ（液晶表示装置）５８の表示に関する制御指令（以下、コマンドという）を、コマンド出力ポート４５から副制御回路５０に向けて送信する。
【００５６】
メインＲＯＭ３２には、ＬＣＤ５８の表示に関する各種の決定に必要なデータが格納されている。例えば、ＬＣＤ５８で行われる図柄変動の停止結果を大当りとするか否かを判定する際に参照される「大当り判定テーブル」、図柄変動の停止結果が外れのときにリーチを発生させるか否かを判定する際に参照される「リーチ判定テーブル」、特別図柄の最終的な停止態様である確定停止態様を決定する際に参照される「停止図柄決定テーブル」、そして、演出（変動パターン）を選択する際に参照される「変動パターン選択テーブル」等がメインＲＯＭ３２に格納されている。
【００５７】
メインＣＰＵ３１では、各種の乱数カウンタの更新処理を定期的に行い、始動入賞時には、メインＣＰＵ３１は、これら乱数カウンタのカウント値（以下、「乱数値」という）を読み出し、メインＲＡＭ３３内に形成される所定の記憶領域に格納する。ここに格納された乱数値は、主制御回路３０において行われる各種の判定等に用いられる。
【００５８】
一方、副制御回路５０は、主制御回路３０とは別の一つの回路基板上に配置されており、この副制御回路５０は、主制御回路３０と同様に、ＣＰＵ（以下、サブＣＰＵという）５１、ＲＯＭ（以下、プログラムＲＯＭという）５２およびＲＡＭ（以下、ワークＲＡＭという）５３を主たる構成要素として構成される。
【００５９】
副制御回路５０は、コマンド出力ポート４５を介して主制御回路３０から送信されたコマンドが入力されるコマンド入力ポート５４を有し、コマンド入力ポート５４を介してコマンドが入力されると、ＬＣＤ５８での図柄変動および演出アニメーションを含んだ表示制御を行う。
【００６０】
また、副制御回路５０では、ＬＣＤ５８の表示制御の他に主制御回路３０から送信されたコマンドに応じたスピーカ４Ｌ、４Ｒからの音声出力制御と、前面扉２および遊技盤３に配置される枠ＬＥＤ、盤面上ＬＥＤ等の発光体（装飾ランプ５９と総称する）の動作制御についても行う。
【００６１】
主制御回路３０から送信されたコマンドに応じた処理を実行する具体的手段として、副制御回路５０は、ＬＣＤ５８を制御するための画像制御回路５５、スピーカ４Ｌ、４Ｒを制御するための音声制御回路５６および装飾ランプ５９を制御するためのランプ制御回路５７を備えている。
【００６２】
画像制御回路５５は、サブＣＰＵ５１からの指令に基いてＬＣＤ５８に表示すべき画像データを生成し、この画像データの表示制御を実行するための手段で構成される。
【００６３】
音声制御部５６は、スピーカ４Ｌ、４ＲにＢＧＭおよび効果音からなる音声信号を出力するようになっている。
【００６４】
ランプ制御回路５７は、主制御回路３０からの確変時の送信コマンド、時短時の送信コマンド等に基づいて装飾ランプ５９の点灯制御を行うようになっている。
【００６５】
払出・発射制御回路７０は主制御回路３０からの払出要求コマンドが送信されると、払出装置７１から賞球として遊技球の払い出しを行う。また、遊技者による発射ハンドル１１の操作に応じて遊技盤３の裏面側に設けられた発射装置７２から遊技球を発射するようになっている。
【００６６】
また、払出・発射制御回路７０はカードリーダを備えたカードユニット７３からの払出信号に基づいて貸し球を上皿７に払い出すようになっている。
【００６７】
また、副制御回路５５にはＩ／Ｏポート６０を介して開放検出スイッチ６１、外部情報端子６２および発射ハンドルスイッチ６３が接続されている。
【００６８】
開放検出スイッチ６１はシャッター部材１９が開放位置に移動したときに、シャッター部材１９を検出して副制御回路５０に検出信号を出力するようになっており、サブＣＰＵ５１はこの検出信号に基づいてランプ制御回路５７を制御して装飾ランプ５９の中で開放報知ランプ５を点灯させる。
【００６９】
外部情報端子６２は外部機器６４、例えば、ホールに設置されたパチンコ遊技機１の全てを管理する管理コンピュータや各パチンコ遊技機１に対応して島設備に設置された呼出しランプに接続されており、外部情報端子６２は、シャッター部材１９が開放位置に移動したときに、副制御回路５０からＩ／Ｏポート６０を介して出力される開放情報をこれら呼出しランプや管理コンピュータに出力するようになっている。なお、本実施の形態では、開放報知ランプ５が報知手段を構成している。また、外部情報端子６２が開放信号出力手段を構成している。
【００７０】
発射ハンドルスイッチ（発射位置検出手段）６３は、発射ハンドル１１が遊技球を発射する発射位置にあることを検出するようになっており、副制御回路５０に検出信号を出力するようになっている。
【００７１】
サブＣＰＵ５１は開放検出スイッチ６１から検出信号が入力される場合に、発射ハンドルスイッチ６３から検出信号が入力されると、開放報知ランプ５を点灯させないように制御を行う。また、外部情報端子６２に開放情報を出力しない、すなわち、開放信号の出力規制制御を行う。
【００７２】
また、サブＣＰＵ５１は開放検出スイッチ６１から検出信号が入力される場合に、主制御回路３０のメインＣＰＵ３１から大当り遊技を通知するための大当りコマンドが入力されると、開放報知ランプ５を点灯させないように制御を行う。また、外部情報端子６２に開放情報を出力しない、すなわち、開放信号の出力規制制御を行う。なお、本実施の形態では、サブＣＰＵ５１が報知規制手段および開放信号出力規制手段を構成し、メインＣＰＵ３１が遊技状態検出手段を構成している。
【００７３】
このような構成を有するパチンコ遊技機１にあっては、大当りが発生すると、大入賞口が開放する公知の大当り遊技が行われ、上皿７の貯溜許容数を超えた遊技球が供給通路１４から連通路１５を介して下皿１０に払い出され、下皿１０に貯溜される。
【００７４】
このとき、遊技者は把持部材２２を把持してスプリング部材２１の付勢力に抗してシャッター部材１９を開放位置に移動させると、第１係合部２３が第２係合部２４に係合してシャッター部材１９が開放位置に保持されるのと同時に、開放検出スイッチ６１によりシャッター部材１９が開放位置に移動したことが検出されて副制御回路５０に検出信号が送信される。
【００７５】
このため、底板１７および上板２６の排出口２７、１８が開放され、この排出口２７、１８を通して遊技球が下皿１０に落下し、下皿１０の下方に設置されたドル箱に貯溜される。
【００７６】
したがって、下皿１０に遊技球が貯溜することなく、下皿１０から落下する遊技球はドル箱に貯溜され、遊技者は下皿１０から遊技球を直接取り出す必要がなく、遊技者に余計な労力が加わるのを防止することができる。
【００７７】
一方、大当りが発生すると、主制御回路３０のメインＣＰＵ３１から副制御回路５０に大当り遊技を通知するための大当りコマンドが入力するので、開放検出スイッチ６１から副制御回路５０に開放信号が入力しても、開放報知ランプ５による報知および開放情報の出力は行われない。
【００７８】
また、副制御回路５０には発射ハンドルスイッチ６３から検出信号が入力されるので、開放報知ランプ５による報知および開放情報の出力は行われない。
【００７９】
一方、前遊技者が大当りの発生等によってシャッター部材１９を開放位置に保持したままで当該パチンコ遊技機１での遊技を終了した後、シャッター部材１９が開放位置にあることを認識していない次の遊技者が当該パチンコ遊技機１で遊技を行う等場合を考える。
【００８０】
このとき、副制御回路５０には主制御回路３０のメインＣＰＵ３１から大当り遊技を通知するための大当りコマンドが入力しないとともに、副制御回路５０には発射ハンドルスイッチ６３から検出信号が入力せず、開放検出スイッチ６１から検出信号が入力するので、サブＣＰＵ５１はランプ制御回路５７に対して開放報知ランプ５の点灯制御を行う。また、サブＣＰＵ５１は外部情報端子６２に開放情報を出力する制御を行う。
【００８１】
このため、ランプ制御回路５７によって開放報知ランプ５が点灯される。また、外部情報端子６２から呼出しランプに開放情報が送信されて呼出しランプが点灯されるとともに、管理コンピュータに開放情報が送信され、管理コンピュータからホール従業員等にインカム等で通知される。
【００８２】
この結果、次の遊技者またはホール従業員に対してシャッター部材１９を閉塞位置に戻すこと効果的に促すことができ、排出口２７、１８を閉塞してファール球等が落下するのを防止することができる。
【００８３】
このように本実施の形態では、遊技球が貯溜される本体１６と、本体１６の底板１７および上板２６に設けられ、遊技球を排出する排出口１８、２７と、排出口１８、２７を開放する開放位置および排出口１８、２７を閉塞する閉塞位置の間で移動自在に設けられたシャッター部材１９と、シャッター部材１９および本体１６の間に介装され、シャッター部材１９を閉塞位置に移動するように付勢するスプリング部材２１と、シャッター部材１９に設けられた第１係合部２３と、本体１６に設けられ、第１係合部２３に係合する第２係合部２４とから下皿１０を構成し、シャッター部材１９が開放位置にあることを検出する開放検出スイッチ６１と、開放検出スイッチ６１の検出情報に基づいてシャッター部材１９が開放位置にあることを報知する開放報知ランプ５とを設けた。
このように、シャッター部材１９が開放位置にあることを検出して報知することができるので、前遊技者がシャッター部材１９を開放位置に保持したままの状態で遊技機による遊技を終了したときに、次の遊技者が当該遊技機で遊技を行うとき等に、当該遊技者に対してシャッター部材１９が開放位置にあることを確実に認識させることができる。このため、当該遊技者に対してシャッター部材１９を閉塞位置に戻すことを効果的に促すことができる。
【００８４】
また、次の遊技者が当該遊技機で遊技を行う以前等に、ホール従業員等にシャッター部材１９が開放位置にあることを確実に認識させることができるので、ホール従業員等に対してシャッター部材１９を閉塞位置に戻すことを効果的に促すことができる。この結果、下皿１０から遊技球が不用意に落下するのを防止して遊技者に不快感を与えるのを防止することができる。
【００８５】
また、シャッター部材１９が開放位置にあることを検出して報知することができるので、新たに保持解除機構を設けるのを不要にして、パチンコ遊技機１の製造コストが増大するのを防止することができるとともに省スペース化を図ることができる。
【００８６】
また、本実施の形態では、シャッター部材１９が開放位置に位置するときに、外部情報端子６２から呼出しランプや管理コンピュータ等の外部機器６４に開放情報を出力するようにしたので、呼出しランプによりホール従業員に直接知らせたり、管理コンピュータからホール従業員にインカム等で知らせることにより、ホール従業員にシャッター部材１９を閉塞位置に戻すことを効果的に促すことができる。
【００８７】
また、本実施の形態では、シャッター部材１９が開放位置にあっても、大当り遊技状態中には報知を行わないので、大当り遊技中に、シャッター部材１９を開放位置に移動させた状態にして遊技球を下皿１０から落下させて回収することができるとともに、大当り遊技中に不必要な報知を行うのを防止することできる。
【００８８】
また、本実施の形態では、発射ハンドルスイッチ６３によって発射ハンドル１１が発射位置にあることが検出されると、シャッター部材１９が開放位置に位置していても報知を行わないようにしたので、遊技中に遊技者が意図的にシャッター部材１９を開放位置に移動させても不必要な報知を行うのを防止することできる。
【００８９】
なお、本実施の形態では、保持機構を第１係合部２３と第２係合部２４から構成しているが、これに限定されるものではなく、シャッター部材１９を下皿１０に保持できる構成であればその他の構成であっても良い。
【００９０】
また、本実施の形態では、外部機器６４として管理コンピュータと呼出しランプ等に報知を行うようにしているが、何れか一方に報知を行うようにしても良い。また、大当り遊技中に発射ハンドル１１が開放位置にあるときに、報知を行わないようにしているが、何れか一方のときに報知を行わないようにしても良い。
【００９１】
また、何れの場合であっても、シャッター部材１９が開放位置に位置していたら報知を行うようにしても良い。
【００９２】
また、パチンコ遊技機１に設けられた開放報知ランプ５を点灯させることにより、報知を行うようにしているが、これに限らず、音声によって報知を行ったり、ＬＣＤ５８によって表示を行うことで報知を行うようにしても良い。
【００９３】
また、本実施の形態にあっては、開放報知ランプ５と外部機器６４の両方により報知を行うようにしているが、何れか一方により報知を行うようにしても良い。
【産業上の利用可能性】
【００９４】
以上のように、本発明に係る遊技機は、製造コストの低減と省スペース化を図りつつ、受け皿から遊技球が不用意に落下するのを防止して遊技者に不快感を与えるのを防止することができるという効果を有し、遊技機本体の払出口から払い出される遊技球の受け皿を備えた遊技機等として有用である。
【図面の簡単な説明】
【００９５】
【図１】本発明の一実施の形態のパチンコ遊技機の外観斜視図である。
【図２】一実施の形態の下皿および上皿の背面図である。
【図３】一実施の形態の下皿をパチンコ遊技機側の取付け部から見た図である。
【図４】一実施の形態の底板の上面図である。
【図５】一実施の形態のシャッター部材が閉塞位置に移動したときの状態を示す図である。
【図６】（ａ）は一実施の形態のシャッター部材が開放位置に移動したときの状態を示し、（ｂ）は第１係合部と第２係合部を示す図である。
【図７】一実施の形態の遊技機が払い出されたときの下皿の上面図である。
【図８】一実施の形態の遊技機が払い出されたときの下皿の斜視図である。
【図９】一実施の形態のパチンコ遊技機の制御部のブロック図である。
【符号の説明】
【００９６】
１  パチンコ遊技機（遊技機）
５  開放報知ランプ（報知手段）
９  払出口
１０  下皿（受け皿）
１１  発射ハンドル
１６  本体
１７  底板（底面）
１８、２７  排出口
１９  シャッター部材
２３  第１係合部（保持機構）
２４  第２係合部（保持機構）
２６  上板（底面）
３１  メインＣＰＵ（遊技状態検出手段）
５１  サブＣＰＵ（報知規制手段）
５７  ランプ制御回路（報知手段）
６１  開放検出スイッチ（開放位置検出手段）
６２  外部情報端子（開放信号出力手段）
６３  発射ハンドルスイッチ（発射位置検出手段）
６４  外部機器
【図１】
2005296216.tif 000003
【図２】
2005296216.tif 000004
【図３】
2005296216.tif 000005
【図４】
2005296216.tif 000006
【図５】
2005296216.tif 000007
【図６】
2005296216.tif 000008
【図７】
2005296216.tif 000009
【図８】
2005296216.tif 000010
【図９】
2005296216.tif 000011